(57)【要約】クロージャ（１０）が、医療廃棄物を受け入れるように配置された受け器開口（３２）を構成する医療廃棄物受け器（１２）のために提供される。クロージャは、医療廃棄物受け器（１２）の受け器開口（３２）に隣接して配置可能なフード（１４）を有する。フード（１４）は、フード（１４）の内側への接近を容易にする入口開口（１８）を少なくとも部分的に構成する制限面を有する。ドア（２０）は、フード（１４）の内側に、少なくとも部分的に取り付けられる。ドア（２０）開位置と閉位置との間で、ピボット軸（２２）を中心にして移動可能に取り付けられる。開位置では、ドア（２０）の支持面（２４）は、フード（１４）の入口開口（１８）を通る接近を実質的に可能にし、また、閉位置では、ドア（２０）の支持面（２４）は、フード（１４）の入口開口を通る接近を実質的に阻止する。ドア（２０）は、閉位置から開位置へ向かって回転するように、重力によって賦勢される。
2005525869.tif 000002
【特許請求の範囲】
【請求項１】
医療廃棄物を受け入れるように配置された受け器開口を構成する医療廃棄物受け器用のクロージャであって、
前記医療廃棄物受け器の受け器開口に隣接して配置可能なフードを有し、前記フードは、前記フードの内側への接近を容易にする入口開口を少なくとも部分的に構成する制限面を有し、
前記フードの前記内側に少なくとも部分的に取り付けられたドアを有し、前記ドアは、前記ドアの支持面が、前記フードの前記入口開口を通る接近を実質的に可能にする開位置と、前記ドアの前記支持面が、前記フードの前記入口開口を通る接近を実質的に阻止する閉位置との間で、ピボット軸を中心に移動可能に取り付けられ、
前記ドアは、重力によって、前記閉位置から前記開位置に向かって回転するように賦勢され、前記閉位置での前記ドアの前記支持面は、水平面に対して少なくとも約１００°の角度を形成し、
前記ドアは、前記支持面を構成する幅及び奥行を有し、前記ドアは、少なくとも約１．９：１の幅：奥行比を有し、
前記ドア及び前記フードは一緒に、前記開位置に前記入口開口を構成し、前記ドアの前記ピボット軸と、前記入口開口とによって定められた入口角度を形成し、前記入口角度は、少なくとも約６０°である、クロージャ。
【請求項２】
前記閉位置の前記ドアの前記支持面は、水平面に対して少なくとも約１０５°の角度を形成する、請求項１記載のクロージャ。
【請求項３】
前記ドアは、少なくとも２．２：１の幅：奥行比を有する、請求項１記載のクロージャ。
【請求項４】
前記入口角度は、少なくとも約８０°である、請求項１記載のクロージャ。
【請求項５】
前記ドアは、実質的に平らである、請求項１記載のクロージャ。
【請求項６】
前記ドアの平面は、前記ピボット軸により旋回する、請求項５記載のクロージャ。
【請求項７】
前記ドアは、前記開位置から前記閉位置まで後方へ回転する、請求項１記載のクロージャ。
【請求項８】
前記ドアは、前記閉位置から前記開位置まで前方へ回転する、請求項１記載のクロージャ。
【請求項９】
前記ドアの前記ピボット軸は、前記入口角度の頂点である、請求項１記載のクロージャ。
【請求項１０】
前記クロージャは、前記フードに隣接して配置可能な蓋を更に有し、前記フードは、前記蓋によって支持される、請求項１記載のクロージャ。
【請求項１１】
前記蓋は、医療廃棄物を前記医療廃棄物受け器の方へそらせるように形成された部分を有する、請求項１０記載のクロージャ。
【請求項１２】
医療廃棄物を受け入れるように配置された受け器開口を構成する医療廃棄物受け器用のクロージャであって、
前記医療廃棄物受け器の前記受け器開口に隣接して配置可能なフードを有し、前記フードは、前記フードの内側への接近を容易にする入口開口を少なくとも部分的に構成する制限面を有し、
前記フードの内側に少なくとも部分的に取り付けられたドアを有し、前記ドアは、前記ドアの支持面が、前記フードの前記入口開口を通る接近を実質的に可能にする開位置と、前記ドアの前記支持面が、前記フードの前記入口開口を通る接近を実質的に阻止する閉位置との間で、ピボット軸を中心に移動可能に取り付けられ、
前記ドアは、重力によって、前記閉位置から前記開位置へ回転するように賦勢され、前記閉位置の前記ドアの前記支持面は、水平面に対して、少なくとも約１００°の角度を形成し、
前記ドアは、前記支持面を構成する幅及び奥行を有し、前記ドアは、少なくとも約１．９：１の幅：奥行比を有する、クロージャ。
【請求項１３】
前記ドア及び前記フードは一緒に、前記開位置の前記入口開口を構成し、前記ドアの前記ピボット軸と前記入口開口とによって構成された入口角度を形成し、前記入口角度は、少なくとも約６０°である、請求項１２記載のクロージャ。
【請求項１４】
前記閉位置の前記ドアの前記支持面は、水平面に対して少なくとも約１０５°の角度を形成する、請求項１２記載のクロージャ。
【請求項１５】
前記ドアは、少なくとも約２．２：１の幅：奥行を有する、請求項１２記載のクロージャ。
【請求項１６】
前記入口角度は、少なくとも約８０°である、請求項１３記載のクロージャ。
【請求項１７】
前記ドアは、実質的に平らである、請求項１２記載のクロージャ。
【請求項１８】
前記ドアの平面は、前記ピボット軸により旋回する、請求項１７記載のクロージャ。
【請求項１９】
前記ドアは、前記開位置から前記閉位置まで後方へ回転する、請求項１２記載のクロージャ。
【請求項２０】
前記度は、前記閉位置から前記開位置まで前方へ回転する、請求項１２記載のクロージャ。
【請求項２１】
前記ドアの前記ピボット軸は、前記入口角度の頂点である、請求項１２記載のクロージャ。
【請求項２２】
前記クロージャは、
前記フードに隣接して配置可能な蓋を更に有し、前記フードは、前記蓋によって支持される、請求項１２記載のクロージャ。
【請求項２３】
前記蓋は、医療廃棄物を前記医療廃棄物受け器の方へ反らせるように形成された部分を有する、請求項２２記載のクロージャ。
【請求項２４】
医療廃棄物を受け入れるように配置された受け器開口を構成する医療廃棄物受け入れ器用のクロージャであって、
前記医療廃棄物受け器の前記受け器開口に隣接して配置可能なフードを有し、前記フードは、前記フードの内側への接近を容易にする入口開口を少なくとも部分的に構成する制限面を有し、
前記フードの前記内側に少なくとも部分的に取り付けられるドアを有し、前記ドアは、前記ドアの支持面が、前記フードの前記入口開口を通る接近を実質的に可能にする開位置と、前記ドアの前記支持面が、前記フードの前記入口開口をとる接近を実質的に阻止する閉位置との間で、ピボット軸を中心に移動可能に取り付けられ、
前記ドアは、前記支持面を構成する幅及び奥行を有し、前記ドアは、少なくとも約１．９：１の幅：奥行比を有し、
前記ドア及び前記フードは一緒に、前記開位置に前記入口開口を構成し、前記ドアの前記ピボット軸と前記入口開口とによって定められた入口角度を形成し、前記入口角度は、少なくとも約６０°である、クロージャ。
【請求項２５】
前記ドアは、重力によって、前記閉位置から前記開位置へ向かって回転するように賦勢され、前記閉位置での前記ドアの前記支持面は、水平面に対して少なくとも約１００°の角度を形成する、請求項２４記載のクロージャ。
【請求項２６】
前記閉位置での前記ドアの前記支持面は、水平面に対して少なくとも約１０５°の角度を形成する、請求項２４記載のクロージャ。
【請求項２７】
前記ドアは、少なくとも約２．２：１の幅：奥行比を有する、請求項２４記載のクロージャ。
【請求項２８】
前記入口角度は、少なくとも約８０°である、請求項２４記載のクロージャ。
【請求項２９】
前記度は、実質的に平らである、請求項２４記載のクロージャ。
【請求項３０】
前記ドアの平面は、前記ピボット軸により旋回する、請求項２９記載のクロージャ。
【請求項３１】
前記ドアは、前記開位置から前記閉位置まで後方へ回転する、請求項２４記載のクロージャ。
【請求項３２】
前記ドアは、前記閉位置から前記開位置まで前方へ回転する、請求項２４記載のクロージャ。
【請求項３３】
前記ドアの前記ピボット軸は、前記入口角度の頂点である、請求項２４記載のクロージャ。
【請求項３４】
前記クロージャは、前記フードに隣接して配置可能な蓋を更に有し、前記フードは、前記蓋によって支持される、請求項２４記載のクロージャ。
【請求項３５】
前記蓋は、医療廃棄物を前記医療廃棄物受け器へ向けてそらせるように形成された部分を有する、請求項３５記載のクロージャ。
【請求項３６】
医療廃棄物を受け入れるように配置された受け器開口を構成する医療廃棄物受け器用のクロージャであって、
前記医療廃棄物受け器の受け器開口に隣接して配置可能なフードを有し、前記フードは、前記フードの内側への接近を容易にする入口開口を少なくとも部分的に構成する制限面を有し、
前記フードの前記内側に少なくとも部分的に取り付けられたドアを有し、前記ドアは、前記ドアの支持面が、前記フードの前記入口開口を通る接近を実質的に可能にする開位置と、前記ドアの前記支持面が、前記フードの前記入口開口を通る接近を実質的に阻止する閉位置との間で、ピボット軸を中心に移動可能に取り付けられ、
前記ドアは、重力によって、前記閉位置から前記開位置に向かって回転するように賦勢され、前記閉位置での前記ドアの前記支持面は、水平面に対して少なくとも約１００°の角度を形成し、
前記ドア及び前記フードは一緒に、前記開位置に前記入口開口を構成し、前記ドアの前記ピボット軸と、前記入口開口とによって定められた入口角度を形成し、前記入口角度は、少なくとも約６０°である、クロージャ。
【請求項３７】
前記ドアは、前記支持面を構成する幅及び奥行を有し、前記ドアは、少なくとも約１．９：１の幅：奥行比を有する、請求項３６記載のクロージャ。
【請求項３８】
前記閉位置での前記ドアの前記支持面は、水平面に対して少なくとも約１０５°の角度を形成する、請求項３６記載のクロージャ。
【請求項３９】
前記ドアは、少なくとも約２．２：１の幅：奥行比を有する、請求項３７記載のクロージャ。
【請求項４０】
前記入口角度は、少なくとも約８０°である、請求項３６記載のクロージャ。
【請求項４１】
前記ドアは、実質的に平らである、請求項３６記載のクロージャ。
【請求項４２】
前記ドアの平面は、前記ピボット軸により旋回する、請求項４１記載のクロージャ。
【請求項４３】
前記ドアは、前記開位置から前記閉位置まで後方へ回転する、請求項３６記載のクロージャ。
【請求項４４】
前記度は、前記閉位置から前記開位置まで前方へ回転する、請求項３６記載のクロージャ。
【請求項４５】
前記ドアの前記ピボット軸は、前記入口角度の頂点である、請求項３６記載のクロージャ。
【請求項４６】
前記クロージャは、前記フードに隣接して配置可能な蓋を有し、前記フードは、前記蓋によって支持される、請求項３６記載のクロージャ。
【請求項４７】
前記蓋は、医療廃棄物を前記医療廃棄物受け器に向かってそらせるように形成された部分を有する、請求項４６記載のクロージャ。
【発明の詳細な説明】
【技術分野】
【０００１】
本発明は、医療廃棄物用のクロージャに関する。より詳細には、この発明は、安全且つ効率的な処分のために、医療廃棄物を受け入れ且つ収容するように配置されたクロージャーに関する。
【背景技術】
【０００２】
病院、診療所及び小規模医療施設では、汚染が引き続き最大関心事である。伝染病の蔓延の予防は、重要な優先事項であり、それ故、使い捨ての、一度使用したら捨てる患者看護用品が広く使用されるようになった。かかるものは、一旦使用すると汚染され、病気を容易に伝染させる。これらのものには、皮下注射針、静脈注射針、剃刀、外科用メスの刃、又は他の鋭利物が含まれ、これらのすべては、合衆国疾病管理センターの現行ガイドラインにより、それらの使用地点で処分されることが要求される。
【０００３】
一旦、廃棄物が医療廃棄物用処分容器の中に置かれると、人を、鋭利物のような汚染されたものに接近させないために、種々の医療廃棄物用処分容器が提案され．多くのかかる処分容器は、この目的を果たすのに大いに効果がある。しかしながら、大きな需要がある病院及び診療所の空間では、嵩張る容器組立体を避けながら、ある寸法範囲の鋭利物である処分物を収容するという課題が存在する。多くの用途で、かかる容器組立体は壁取付けであり、したがって、壁から室内空間に延びる。
【０００４】
かくして、容器が、小から大の範囲の鋭利物を収容し、更に、容器が配置される室内に過度に延びない側面又は奥行を有することが望ましい。例えば、処分を必要とする幾つかの大きな鋭利物には、プランジャが完全に延ばされたとき６０ｃｃのシリンダ、バタフライニードル（butterfly needles）、及び天使の翼の移動装置（angel wing transfer devices）が含まれる。過度に嵩張る容器を作ることなく、かかる大きな鋭利物、並びに小さな鋭利物を収容することは、重要な課題をもたらす。
【０００５】
したがって、許容できる側面を維持しながら、ある寸法範囲の鋭利物を収容することができる医療廃棄物処分装置が要求されている。
【発明の開示】
【課題を解決するための手段】
【０００６】
この発明は、医療廃棄物を受け入れるように配置された受け器開口を構成する医療廃棄物受け器用のクロージャを提供する。クロージャは、医療廃棄物受け器の受け器開口に隣接して配置可能なフードを有する。フードは、フードの内側への接近を容易にする入口開口を少なくとも部分的に構成するフード制限面を有する。ドアが、フードの内側に、少なくとも部分的に取り付けられる。ドアは、開位置と閉位置との間で、ピボット軸を中心にして移動可能に取り付けられる。開位置では、ドアの支持面が、フードの入口開口を通る接近を実質的に可能にし、閉位置では、ドアの支持面が、フードの入口開口を通る接近を実質的に阻止する。ドアは、重力によって、閉位置から開位置まで回転するように賦勢される。
【０００７】
この発明の一つの側面によれば、閉位置でのドアの支持面は、水平面に対して、少なくとも約１００°の角度を形成する。
【０００８】
この発明の別の側面によれば、ドアは、支持面を構成する幅及び奥行を有し、ドアは、少なくとも約１．９：１の幅：奥行比を有する。
【０００９】
この発明の更なる側面は、ドア及びフードは一緒に、開位置で入口開口を構成し、入口角度を形成することがである。この発明の更に別の側面によれば、入口角度は、ドアのピボット軸と入口開口によって構成され、少なくとも約６０°である。
【発明を実施するための最良の形態】
【００１０】
この発明の実施形態の好ましい特徴が、今、図面を参照しながら説明されるであろう。本発明の精神及び範囲は、説明のために選択された実施形態に限定されないことが理解されるであろう。また、図面が、あらゆる特定の寸法又は比率について表されないことは、気付かれるべきである。以下に説明される任意の配置及び材料を、この発明の範囲内で変更することができることが考えられる。
【００１１】
一般的に、医療廃棄物処分装置は、好ましくは、受け器と、受け器の内部への接近を制限しながら、受け器内への挿入を可能にする、幾つかの形状のクロージャ組立体と、を有する。例えば、ギャバ等に対する米国特許第５，９４７，２８５号に開示されているような医療廃棄物処分装置が、引用によってここに組み込まれる。この発明のクロージャは、薄い側面（例えば、壁付け組立体について、取り付けられた壁から突き出ている容器組立体の制限された奥行）を維持しながら、ある寸法範囲の鋭利物を収容するようになった医療廃棄物処分装置を提供する。
【００１２】
一般的に、図１乃至図８Ｃを参照して、この発明は、医療廃棄物を受け入れるように配置された受け器開口３２をもつ医療廃棄物受け器１２用のクロージャ１０を提供する。クロージャ１０は、医療廃棄物受け器１２の受け器開口３２に隣接して配置可能なフード１４を有する。フード１４は、フードの内側への接近を容易にする入口開口１８を少なくとも部分的にもつフード制限面１６を有する。
【００１３】
ドア２０が、フード１４の内側に少なくとも部分的に取り付けられる。ドア２０は、（図１及び図２に示す）開位置と、（図３及び図４に示す）閉位置との間で、ピボット軸２２を中心に移動することができるように取り付けられる。開位置では、ドア２０の支持面２４は、フード１４の入口開口１８を通る出入を実質的に可能にし、閉位置では、ドア２０の支持面２４は、フード１４の入口開口１８を通る接近を実質的に阻止する。  ドア２０は、重力によって、閉位置から開位置まで回転するように賦勢される。
【００１４】
この発明の一つの側面によれば、閉位置でのドア２０の支持面２４は、水平面に対して少なくとも約１００°の角度「Ｂ」を形成する（図４参照）。
【００１５】
この発明の他の側面によれば、ドア２０は、支持面２４を定める幅「Ｗ」及び奥行「Ｄ」を有し、ドア２０は、少なくとも約１．９：１の幅：奥行比を有する（図８Ｃ参照）。
【００１６】
この発明の別の側面は、ドア２０及びフード１４は、入口角度「Ａ」を形成して、開位置での入口開口１８を共に構成する（図２参照）。この発明の更に他の側面によれば、入口角度「Ａ」は、ドア２０と入口開口１８のピボット軸２２によって定められ、少なくとも約６０°である。
【００１７】
この発明によるクロージャを使用することができる組立体の一つの実施形態が、図１に示されている。医療廃棄物受け器１２は、（図５Ａに示すように）その受け器の頂部に開口３２を構成する。クロージャ１０が、医療廃棄物受け器１２の開口３２で、医療廃棄受け器１２の頂部に取り付けられる。クロージャ１０は、蓋構成部品２６、フード構成部品１４、及びドア構成部品２０からなる。蓋２６、フード１４及びドア２０は、一緒に、組立体の使用者による受け器１２の内部への接近を阻止しながら、鋭利物のような医療廃棄物の受け器１２内への挿入を可能にするのに役立つ。
【００１８】
蓋２６は、（図５Ａに示すように）受け器１２の蓋部分１３に係合するように配置された（図７に示すような）スカート部分２７を有し、それによって、蓋２６が受け器１２から不用意に外れるのを防止する。蓋２６はまた、医療廃棄物を、フード１４の内側から、受け器１２の中へ案内するための、時にカウルと呼ばれる、形成部分２８を有する。蓋２６は、傾斜部分３０を更に有し、クロージャ１０組立体のための全体のベース構造を備える。
【００１９】
ドア２０は、ピボット軸２２を中心に回転可能に、フード１４の内側に、少なくとも部分的に取り付けられる。ドア２０は、医療廃棄物が組立体の中へ挿入される際に、医療廃棄物を案内する実質的に平らな支持面２４を有する。ドア２０がピボット軸２２を中心に回転すると、支持面２４の傾斜角度が増大して、医療廃棄物を容器の後方へ、受け器１２の方へ移動させる。前述のように、入口開口１８は、ドア２０及びフード１４の表面によって構成される。特に、ドア２０は、入口開口１８の下限を構成するドア制限面１７を備える。
【００２０】
ドア２０はまた、ドア制限面１７の下面に沿って配置された一連の重しひれを有し、重しひれは、ドア２０を重力によって開位置の方へ賦勢するのに役立つ。換言すれば、ドア２０は回転可能に取り付けられているので、ドア２０の重しひれ２１の重量は、ドア２０をその開位置の方で釣り合う傾向がある。ピボット軸２２に対してドア２０の重心を変えるのに十分な大きさ及び量で、一連の重しひれ２１を設けることによって、開位置でのドア２０の入口角度「Ａ」を増加させることができることが認められた。より詳細には、重しひれ２１の材料の重量によって、ドア２０が、垂直位置を超えて閉位置まで回転することができ、さらに、解放されると、開位置に戻るように、ドア２０の重心は移動する。
【００２１】
（図４に示すように）閉位置でのドアの角度「Ｂ」を増加させることによって、ドア２０と（図３に示す）蓋の形成部分２８との間に構成された処分開口２９の寸法を増加させることができることが認められた。処分開口２９の寸法を増加させることによって、組立体は、大きな直径又は厚さを有する鋭利物のような大きな医療廃棄物を収容することができる。
【００２２】
したがって、（増加した角度「Ｂ」、及び処分開口２９において結果として生じる増加の効力によって、）大きな鋭利物を収容するこの能力は、（図３に示す）組立体の側面「Ｐ」を増加させる必要なく、成し遂げられる。また、大きな鋭利物を収容するこの能力は、蓋の形成部分２８を（例えば、組立体の正面に向かって延びる程度を減ずることによって）著しく変える必要なく、成し遂げられる。蓋の形成部分２８は、受け器１２の内部への接近を阻止する障壁を成すように、少なくとも一部分に設けられる。したがって、処分開口２９を増大させるための唯一の手段として、形成部分２８の過度な減少を回避することが利点である。したがって、閉位置でのドア２０の角度「Ｂ」の随意の増加は、単独で、又はこの発明の他の例示の側面と組合せで、この例示の特徴の実現を容易にする。
【００２３】
図２は、開位置でのクロージャ１０の詳細図である。ドア制限面１７及びフード制限面１６は、入口開口１８を構成し、図２に示すように、ドア２０のピボット軸２２と入口開口１８とによって定められた入口角度「Ａ」を形成する。入口角度「Ａ」は、入口開口１８が、広い寸法範囲の鋭利物を受け入れるのに十分に大きい、少なくとも約６０°である。好ましくは、入口角度「Ａ」は、少なくとも約８０°であり、最も好ましくは、約８３°である。
【００２４】
この比較的大きな入口角度「Ａ」単独で、又は、ここに説明された更なる特徴と組み合わせることにより、この発明によるクロージャは、低い側面「Ｐ」を維持しながら、大きな鋭利物を収容することができる医療廃棄物処分装置を提供することができる。より詳細には、増加した入口角度「Ａ」を有することによって、組立体の側面「Ｐ」を過度に増加させることなく、入口開口１８の寸法を増加させ、或いは維持することができる。増大した入口開口１８を提供するために、例えば、入口角度「Ａ」を増加させることによって、ピボット軸２２とドア制限面１７との間の距離、及び、ピボット軸２２とフッド制限面１６との間の距離を増加させる必要はない。それらの距離は、この発明により増大して、（例えば、大きな廃棄物を収容するために）入口開口１８の寸法を増大させる場合も有り得るが、かかる増大は、組立体の側面「Ｐ」、フード１４の高さ、及び／又は、ドア２０の外延が開位置でフード１４から外方に延びる角度の増大という結果と成り得る。
【００２５】
図３は、閉位置のクロージャ１０を示し、図４は、閉位置のクロージャの詳細図である。この位置のドア２０は、フード１４の入口開口１８を通じた医療廃棄物受け器１２への接近を実質的に阻止する。閉位置のドア２０の支持面２４は、前述のように、水平面に対して角度「Ｂ」を形成する。角度「Ｂ」は、少なくとも約１００°であり、より好ましくは、少なくとも１０５°であり、著しく大きい。この発明によるクロージャが、低い側面「Ｐ」を維持しながら、大きな鋭利物を受け入れることができる医療廃棄物処分装置を提供することができるのは、この比較的大きい角度「Ｂ」単独で、又は、前述の増大した入口角度「Ａ」、及び／又はこの発明の他の例示の特徴との組合せによる。
【００２６】
図１乃至図４を参照すると、ドア制限面１７の下面に沿って形成された一連の重しひれ２１により、ドア２０は、重力によって賦勢され、図１に示すように、開位置に自然に向かう。鋭利物がドア２０の支持面３５に置かれると、鋭利物は、ドア２０を回転させて、支持面２４を滑り落ち、或いは、転がり落ちる。ドア２０は、図３に示す閉位置に向かって、ピボット軸２２を中心にして後方に回転し、鋭利物は、医療廃棄物受け器１２内にたまる。蓋２６の形成部分２８は、鋭利物を医療廃棄物受け器１２に向かってそらせる。
【００２７】
ドア２０は、重力によって賦勢されるから、次いで、図１に示すように、開位置に向かって自動的に前方に回転して戻る。一旦、医療廃棄物受け器１２が満杯となれば、次いで、使用者は、ドア２０をフードの中へ更に押すことによって、フード１４の可撓性凹部係止タブ３４を留め、それによって、閉じたドア２０をフード１４に固定する。
【００２８】
蓋３６に配置された傾斜部分３０は、一般的に、使用者が、容量いっぱいになった医療廃棄物処分装置の蓋の上に鋭利物を置かないようにする。傾斜部分３０が役に立つ場合もあるけれども、傾斜部分３０の形状は、様々な形状及び形態をとることができ、図面に示す傾斜部分３０の形状は、主に装飾的デザインであり、他の形状が勿論考えられることが認識される。例えば、傾斜部分３０は、蓋２６の表面から上方に延びる一つ以上のひれによって、傾斜面を有する係るひれ又はリブの組合せによって、又は、使用者が鋭利物を蓋の上に置くのを防止することができる任意の構造によって設けることができる。クロージャ１０の装飾的な特徴は、別途出願中の米国意匠特許出願第２９／１６１，００５号に説明されている。
【００２９】
図５Ａ乃至図５Ｃが、図１及び図３の医療廃棄物受け器１２を詳細に示す。医療廃棄物受け器１２のリップ１３は、医療廃棄物を受け入れるように配置された受け器開口３２を構成し、典型的には、プラスチックで形成される。適当な受け器の更なる詳細が、ギャバ等に対する米国特許第５，９４７，２８５号に開示され、参照により組み込まれる。
【００３０】
図６及び図６Ａ乃至図６Ｅは、図１乃至図４のフード１４を詳細に示す。フード１４は、蓋２６と連結するためのフードベース３６を有する。フードベース３６は、（図７に示し、且つ、引き続いて説明される）蓋のピボット軸支持部４８との組合わせで、ドア２０のピボット軸２２を収容するピボット軸孔３８を構成する。鋭利物が医療廃棄物受け器１２の中へ堆積される際に、フード１４の後方へ向かう形成部分４０は、ある寸法範囲の鋭利物の通過を可能にする。フード１４の上面４２は、広い寸法範囲の鋭利物を収容する入口開口１８を構成するフード制限面１６を有する。上面４２はまた、凹んだ係止タブ３４を収容する凹部４４を構成する。次いで、医療廃棄物受け器１２が満杯であり、且つ、ドア２０が閉位置にあるとき、使用者は可撓性係止タブ３４を（図８に示し、引き続いて説明される）係止タブ孔５０の中へ押し下げ、各係止タブ３４のフック部分４６がドア２０に係止し、閉じたドア２０をフック１４に恒久的に固定する。変形例として、ドアが使用者によってフック１４の中へ更に押される際に、係止タブ３４は、ドア２０に係合するように形成され、それによって、賦勢された係止タブ３４のフック部分４６をドア２０の対応する孔５０に入れさせ、それによって、ドア２０とフード１４との間の係合を容易にする。係止タブ３４は、故意でないドア２０の係止を防止するために、フード１４の凹部４４に配置される。フード１４は、典型的には、プラスチックで形成される。
【００３１】
フード１４は、依然として前述の機能を成し遂げながら、様々な形状で提供することができる。例えば、フードの形成部分４０、フードの上面４２、フードの制限面４２、凹部４４、フードベース３６、及びフード１４の他の面の形状は、依然として、ドア２０、医療廃棄物、及びここに説明した係止装置を収容しながら、修正することができる。図に示すために選択されたフード１４の形状は、装飾的な考慮によって決まり、フード１４のそれらの装飾的な側面は、別に出願中の米国意匠特許出願第２９／１６１，００５号に開示されている。
【００３２】
図７及び図７Ａ乃至図７Ｃは、蓋２６を詳細に示す。蓋２６は、クロージャ１０組立体のための全体のベース構造を有する。蓋２６は、受け器１２のリップ部分１３と係合するように配置されたスカート部分２７を有し、それによって、蓋２６が受け器１２から偶然に外れるのを防止する。蓋２６はまた、上述のように、鋭利物が置かれたときに、鋭利物を医療廃棄物受け器１２に向かってそらせる形成部分２８を有する。そのうえ、蓋２６は、ドア２０のピボット軸２２を支持するピボット軸支持部４８を有する。前述のように、フードベース３６のピボット軸孔３８は、蓋のピボット軸支持部４８と組み合わさって、ドア２０のピボット軸を収容する。前述のように、蓋２６上に配置された傾斜部分３０は、使用者が、満杯の医療廃棄物処分装置の蓋の上に、鋭利物を置くの防止する。しかしながら、傾斜部分３０は、主に、装飾的なデザインであり、勿論、他の形状が考えられる。蓋２６の装飾的特徴は、別に出願中の米国意匠特許出願第２９／１６１、００５号に更に説明されている。
【００３３】
図８及び図８Ａ乃至図８Ｃは、ドア２０を詳細に示す。ドア２０は、実質的に平らであり、ピボット軸２２を中心にして回転可能に取り付けられている。ドア２０は、支持面２４と、ドア制限面１７と、を有する。ドア制限面１７及びフード制限面１６Ａは、（図１に示すように）入口開口１８を一緒に構成する。ドア２０はまた、ドア制限面１７の下面に沿って形成された一連の重しひれ２１を有する。前述のように、重しひれ２１は、重力によって、ドア２０を（図１に示すように）開位置に向かって賦勢する役割を果たす。
【００３４】
ドア２０の支持面２４は、幅「Ｗ」及び奥行「Ｄ」によって定められる。幅対奥行比「Ｗ：Ｄ」は、少なくとも約１．９：１であり、より好ましくは、少なくとも２．０：１であり、最も好ましくは、少なくとも２．２：１であり、比較的小さい奥行「Ｄ」の寸法を維持しながら（それによって、組立体全体の制限された側面「Ｐ」を可能にしながら）、支持面２４が様々な寸法の鋭利物を受け入れることができるように、十分に割り振られる。この発明によるクロージャが、低い側面「Ｐ」を維持しながら、大きな鋭利物を収容することができる医療廃棄物処分装置を提供することを可能にするのは、単独で、又は、いずれも前述の選択した入口角度「Ａ」及び／又は選択した回転角度「Ｂ」と組み合わされたこの幅対奥行比「Ｗ：Ｄ」である。
【００３５】
ドアは、閉じたドア２０が固定されるべきときに、フード１４に配置された凹んだ係止タブ３４と係合するための係止タブ孔５０を有する。前述のように、医療廃棄物受け器１２が満杯であり、且つ、ドア２０が閉位置にあるときに、使用者が可撓性係止タブ３４を係止タブ孔５０の中へ押し下げ、各係止タブ３４のフック部分４６はドアに係合し、閉じたドア２０をフード１４に恒久的に固定する。変形例として、ドア２０が、使用者によってフード１４の中へ押されるとき、フード１４及びドア２０は、フック部分４６の係止タブ孔５０へ向かう賦勢の効力によって係合される。ドア２０は、典型的には、プラスチックで形成される。
【００３６】
この発明によるクロージャの一例の実施形態が説明されるけれども、本発明の精神を支持し、したがって、本発明の企図した範囲に内にある他のものがある。例えば、入口角度「Ａ」については、少なくとも約６０°に限定されず、少なくとも約８０°でもよいし、６０°未満でもよい。同様に、角度「Ｂ」は、少なくとも約１００°に限定されず、少なくとも１０５°でもよいし、１００°未満でもよい。さらに、ドア２０の幅対奥行比「Ｗ：Ｄ」は、少なくとも約１．９：１に限定されず、少なくとも約２．２：１でもよいし、１．９：１未満でもよい。
【００３７】
また、本発明の種々の例示の特徴を、本発明の目的を達成するために、単独で、或いは組み合わせて採用できることが認識されるであろう。例えば、増加した幅：奥行比「Ｗ：Ｄ」、増加した入口角度「Ａ」、及び増加した回転角度「Ｂ」を、組立体の側面「Ｐ」を過度に増加させることなく、組立体によって収容することができる寸法範囲の鋭利物を増大させる目的を達成するために、独立に、又は、任意に組み合わせて、採用することができる。図に示した一例の組立体がこれらの特徴のすべての組合せを採用するが、特徴を、単独で、或いは組合せで選択することができる。
【００３８】
本発明の範囲から逸脱することなく、この発明によるクロージャの図示した実施形態に、他の変更を行うことができることが認識されるであろう。本発明の範囲は、添付の特許請求の範囲において別々に定義される。
【図面の簡単な説明】
【００３９】
【図１】本発明の側面による、（開位置の）クロージャを有する組立体の実施形態の右側面図である。
【図２】図１に示す組立体の詳細図である。
【図３】クロージャがその閉位置にある、図１に示す組立体の右側面図である。
【図４】図３に示す組立体の詳細図である。
【図５Ａ】本発明によるクロージャを使用することができる医療廃棄物受け器の実施形態の正面図である。
【図５Ｂ】図５Ａに示す医療廃棄物受け器の側面図である。
【図５Ｃ】図５Ａに示す医療廃棄物受け器の上面図である。
【図６】本発明によるクロージャのフード構成部品の実施形態の斜視図である。
【図６Ａ】図６に示すフードの正面図である。
【図６Ｂ】図６に示すフードの右側面図である。
【図６Ｃ】図６に示すフードの上面図である。
【図６Ｄ】図６に示すフードの断面右側面図である。
【図６Ｅ】図６Ｄに示すフードの詳細図である。
【図７】本発明によるクロージャの蓋構成部品の実施形態の斜視図である。
【図７Ａ】図７に示す蓋の正面図である。
【図７Ｂ】図７に示す蓋の断面左側面図である。
【図７Ｃ】図７に示す蓋の上面図である。
【図８】本発明によるクロージャのドア構成部品の実施形態の斜視図である。
【図８Ａ】図８に示すドアの正面図である。
【図８Ｂ】図８に示すドアの右側面図である。
【図８Ｃ】図８に示すドアの底面図である。
【図１】
2005525869.tif 000003
【図２】
2005525869.tif 000004
【図３】
2005525869.tif 000005
【図４】
2005525869.tif 000006
2005525869.tif 000007
【図６】
2005525869.tif 000008
2005525869.tif 000009
2005525869.tif 000010
【図７】
2005525869.tif 000011
2005525869.tif 000012
【図８】
2005525869.tif 000013
2005525869.tif 000014
【国際調査報告】
2005525869.tif 000015
2005525869.tif 000016